(57)【要約】  【課題】  動作制限のロックが解除されたことを持ち主がチェックできる移動通信装置を提供することである。  【解決手段】  携帯電話機（移動通信装置）１０は、表示部２４と、入力操作を受ける操作部２５とを備え、操作部２５が所定の操作を受けると特定の機能をロックし、所定の操作を受けることによりロックを解除し、ロック又は解除した回数を計数するカウンタ２６を設け、カウンタ２６の値に基づいて表示部２４の表示を替える構成とする。【選択図】      図１
2005277930.tif 000002
【特許請求の範囲】
【請求項１】
表示部と、入力操作を受ける操作部とを備え、該操作部が所定の操作を受けると特定の機能をロックし、所定の操作を受けることによりロックを解除する移動通信装置において、
前記ロック又は解除した回数を計数するカウンタを設けたことを特徴とする移動通信装置。
【請求項２】
前記カウンタの値に基づいて前記表示部の表示を替えることを特徴とする請求項１記載の移動通信装置。
【請求項３】
前記カウンタの値はリセットできないことを特徴とする請求項１又は２記載の移動通信装置。
【発明の詳細な説明】
【技術分野】
【０００１】
本発明は、携帯可能な移動通信装置に関するものである。
【背景技術】
【０００２】
近年、携帯電話等の移動通信装置が普及している。それに伴い使用者の年齢は下がり、子供にも広がっている。例えば、安全のために外出する子供に携帯電話を持たせ、いつでも自宅と連絡が取れるようにする使い方がある。
【０００３】
このように子供に携帯電話を持たせる場合は、各動作に制限（ロック）を掛ける機能（ジュニアモードやキッズモードと称される）が一般に用いられている。この機能を利用すると着信は無制限で発信は特定の電話番号にだけ可能にすることができる。これにより、子供に持たせた場合は自宅にだけ発信できるように設定することにより、いたずらに電話をかけることができなくなる。また、社員に持たせた場合は、会社にだけ発信できるように設定することにより、私用に使うことができなくなる。
【０００４】
また、携帯電話は屋外に携帯して使用するという性質上、盗難されたり紛失したりする可能性が高い。盗難者に使用されてしまうとその使用料を事業者から請求されることとなる。そこで特許文献１には、他の通信機器からの遠隔操作によって、ダイヤルロックや電話帳ロック等の各種動作を行うことが可能な携帯型通信装置のセキュリティシステムおよび携帯型通信装置が開示されている。これにより、キーロックしていない装置が盗難されても他の電話機から遠隔操作でキーロックすることができる。
【特許文献１】特開平１１−３２３６９号公報
【発明の開示】
【発明が解決しようとする課題】
【０００５】
上記の各動作に制限を掛ける機能や特許文献１の機能を設定・解除するには一般に暗証番号が用いられる。例えば、４桁の数字を暗証番号とする場合は、最大で１万回入力すれば暗証番号を知ることができてしまう。従って、子供や社員が一度暗証番号を知ってしまえば、暗証番号を変更しない限りこの機能は無意味なものとなる。子供や社員は使用時にロック解除し、親や会社等の持ち主に返却する際に再びロックを掛ければよいからである。
【０００６】
そこで本発明は、動作制限のロックが解除されたことを持ち主がチェックできる移動通信装置を提供することを目的とする。
【課題を解決するための手段】
【０００７】
上記目的を達成するために本発明は、表示部と、入力操作を受ける操作部とを備え、該操作部が所定の操作を受けると特定の機能をロックし、所定の操作を受けることによりロックを解除する移動通信装置において、前記ロック又は解除した回数を計数するカウンタを設けたことを特徴とする。
【０００８】
また本発明は、前記カウンタの値に基づいて前記表示部の表示を替えることを特徴とする。
【０００９】
更に、前記カウンタの値はリセットできないことを特徴とする。
【発明の効果】
【００１０】
本発明によれば、移動通信装置に特定の機能のロック又は解除を計数するカウンタを設けることにより、持ち主はカウンタの値を参照して、無断でロックが解除されたことをチェックすることができる。
【００１１】
また本発明によれば、カウンタの値に応じて所定のマーク等を表示するので、持ち主は無断で借り主がロックを一旦解除したことを知ることができる。そうすれば、暗証番号を変更したり、移動通信装置を持たせないようにしたり、対処できる。
【００１２】
また本発明によれば、カウンタの値をリセットできない仕様とすることにより、借り主が勝手にカウンタの値を変更する心配がなくなる。
【発明を実施するための最良の形態】
【００１３】
以下、移動通信装置として携帯電話機を例に説明する。図１は、携帯電話機１０の構成を示すブロック図である。
【００１４】
図１において、通信部１１は、音声通話のため後述するベースバンド部１３からの信号をアンテナ１２を介して基地局（不図示）へ発信したり、アンテナ１２を介して基地局からの電波を受信したりする。またインターネット網（不図示）へ接続してホームページに接続したり、電子メールをやりとりしたりする。
【００１５】
ベースバンド部１３は、ＣＤＭＡ（Code Division Multiple Access）処理回路１３ａと、音声コーデック処理回路１３ｂとを有する。ＣＤＭＡ処理回路１３ａは、符号分割多元接続、スクランブル、誤り制御、タイミング検出等を行う。一方、音声コーデック処理回路１３ｂは、音声を圧縮（符号化）、伸長（復号化）したり、アナログ信号とデジタル信号の変換を行ったり、内部の増幅回路（不図示）により受話音量やマイクロホンの感度を変更する。
【００１６】
通話に使用されるスピーカ１４は、アンプ１５で増幅された切替回路２０からの電気信号を音声信号に変換する。通話に使用されるマイクロホン１６は、音声信号を電気信号に変換しアンプ１７へ出力する。また、アンプ１７により増幅された電気信号は、切替回路２０に出力される。更に、スピーカ１８は、アンプ１９にて増幅された呼び出し音やメロディーを出力する。
【００１７】
切替回路２０は、３つのアンプ１５、１７、１９とベースバンド部１３との接続を後述する制御回路２１の制御によりＯＮ／ＯＦＦする。なお、これらの増幅回路はゲインを固定しており、受話音量やキークリック音量やマイクロホンの感度を変更することはできない。受話音量やキークリック音量やマイクロホンの感度の変更は、制御回路２１の制御によりベースバンド部１３の音声コーデック１３ａが行う。
【００１８】
マイクロプロセッサからなる制御回路２１は、例えばＲＯＭ（Read Only Memory）からなる第１記憶部２２に格納されたシステムプログラムに基づいて各部を制御する。
【００１９】
第２記憶部２３は、例えばＳＲＡＭ（Static Random Access Memory）からなり、相手先の電話番号と名称を組み合わせた電話帳データ、相手先の電子メールアドレスと名称を組み合わせた電子メールアドレス帳データ、発信・着信や閲覧したＵＲＬ（Uniform Resource Locator）の履歴を所定の数や日数だけ残す通信履歴データ、お気に入りに登録されたＵＲＬのデータ、特定の機能の動作を制限するためのロックや解除の暗証番号等を格納する。
【００２０】
表示部２４は、電話番号、相手先の名称、電子メールアドレス、電子メールの内容、ホームページの画像、後述するカウンタの数値、各種機能を表わす画像等を表示する。
【００２１】
操作部２５は、通話キー、切キー、テンキー、電源キー、機能キー、電子メール開始キー、インターネット接続キー等の各種キーからなる。
【００２２】
カウンタ２６は、動作制限のためにロック又は解除した回数を計数する。なお、カウンタ２６の数値はリセットできるようにしてもよいし、リセットできないようにしてもよい。
【００２３】
次に、各動作に制限を掛ける機能、つまり特定の機能をロックする機能（以下、キッズモードと記す）について説明する。図２は、キッズモードに関する携帯電話機１０の動作を示すフローチャートである。まず、ステップＳ１０において操作部２５が操作されてキッズモード設定用の暗証番号が入力されると、ステップＳ１１へ進んで入力された暗証番号と第２記憶部２３に登録されている暗証番号が一致しているか否かを判別する。ステップＳ１１において暗証番号が一致していなければステップＳ１０に戻り再び暗証番号が入力されるのを待つ。一方、ステップＳ１１において暗証番号が一致している場合は、ステップＳ１２へ進んで制御回路２１はキッズモードに設定する。
【００２４】
キッズモードでは、着信は無制限で発信は特定（例えば自宅）の電話番号にだけ可能にする。更にインターネットが利用可能な端末であれば、特定のＵＲＬ（例えばお気に入りに登録されているＵＲＬ）にだけアクセスできるようにしてもよい。また特定の電子メールアドレスにだけ送信できるようにしてもよい。
【００２５】
そしてステップＳ１３へ進んでカウンタの値が０であるか否かを判別する。なお、カウンタの値はキッズモードの設定前に親等（持ち主）がリセットしておく。カウンタのリセットはカウンタリセット用の暗証番号を入力することにより行える。
【００２６】
ステップＳ１３においてカウンタの値が０である場合は、ステップＳ１４へ進んで表示部２４に第１のマークを表示する。これにより、ユーザはキッズモードになっていることを視認できる。図３にキッズモードに設定されカウンタが０のときの画面を示す。画面３０の下部に第１のマーク３１が表示されている。
【００２７】
次にステップＳ１４からステップＳ１６へ進んで子供等（借り主）によりキッズモード解除用の暗証番号が入力されると、ステップＳ１７へ進んで入力された暗証番号と第２記憶部２３に登録されている暗証番号が一致しているか否かを判別する。なお、キッズモードの設定用及び解除用の暗証番号は同じ番号でも違う番号でもよい。ステップＳ１７において暗証番号が一致していなければステップＳ１６に戻り再び暗証番号が入力されるのを待つ。一方、ステップＳ１７において暗証番号が一致している場合は、ステップＳ１８へ進んで制御回路２１はキッズモードを解除する。
【００２８】
そしてステップＳ１９へ進んでカウンタ２６に１加算し、ステップＳ２０へ進んで表示しているマークを消去する。その後、ステップＳ１０に戻る。ステップＳ１０に戻って子供等により暗証番号が入力されると、ステップＳ１２で再びキッズモードに設定され、ステップＳ１３まで進み、カウンタ２６の値を判別する。ステップＳ１９でカウンタに１加算されているのでカウンタ２６の値は１以上である。この場合はステップＳ１３からステップＳ１５へ進んで表示部２４に第２のマークを表示する。これにより、ユーザはキッズモードが一旦解除された後、再度キッズモードに設定されたことを視認できる。図４にキッズモードに設定されカウンタが０でないときの画面を示す。画面３０の下部に第２のマーク３２が表示されている。第２のマーク３２と第１のマーク３１とは、図柄を変更したり、位置を変更したりして区別する。
【００２９】
なお、カウンタ２６の値に応じて第３のマーク等、３つ以上のマークを表示するようにしてもよい。
【００３０】
例えば、携帯電話機１０を外出する子供に持たせる場合、キッズモードに設定しておくと、万一子供が暗証番号を解読してキッズモードを解除し、自由に使用した後、再びキッズモードに設定したとしても、親は第２のマーク３２が表示されていることから子供がキッズモードを一旦解除したことを知ることができる。そうすれば、暗証番号を変更したり、子供に携帯電話機１０を持たせないようにしたり、対処できる。
【００３１】
次にキッズモードの他の実施形態について説明する。図５は、他のキッズモードに関する携帯電話機１０の動作を示すフローチャートである。上記の実施形態ではカウンタ２６の値がリセット可能であり、親等がキッズモードを設定する場合は予めカウンタ２６をリセットすることが必要であるが、本実施形態ではカウンタ２６の値はリセットできないものとする。
【００３２】
まず、ステップＳ３０において操作部２５が操作されてキッズモード設定用の暗証番号が入力されると、ステップＳ３１へ進んで入力された暗証番号と第２記憶部２３に登録されている暗証番号が一致しているか否かを判別する。ステップＳ３１において暗証番号が一致していなければステップＳ３０に戻り再び暗証番号が入力されるのを待つ。一方、ステップＳ３１において暗証番号が一致している場合は、ステップＳ３２へ進んで制御回路２１はキッズモードに設定する。
【００３３】
そしてステップＳ３３へ進んでカウンタ２６の値に１加算し、ステップＳ３４へ進んでカウンタの値を表示部２４に表示する。これにより、ユーザはキッズモードになっていることと現在のカウンタ２６の値を視認できる。
【００３４】
次にステップＳ３４からステップＳ３５へ進んで子供等によりキッズモード解除用の暗証番号が入力されると、ステップＳ３６へ進んで入力された暗証番号と第２記憶部２３に登録されている暗証番号が一致しているか否かを判別する。なお、キッズモードの設定用及び解除用の暗証番号は同じ番号でも違う番号でもよい。ステップＳ３６において暗証番号が一致していなければステップＳ３５に戻り再び暗証番号が入力されるのを待つ。一方、ステップＳ３６において暗証番号が一致している場合は、ステップＳ３７へ進んで制御回路２１はキッズモードを解除する。
【００３５】
そしてステップＳ３８へ進んで表示しているマークを消去する。その後、ステップＳ３０に戻る。ステップＳ３０に戻ってステップＳ３４まで進むとステップＳ３３でカウンタ２６の値に１加算されるので表示されているカウンタ２６の値に１加算する。このように、表示されているカウンタ２６の値が増加することにより、ユーザはキッズモードが解除された後、再度キッズモードに設定されたことを視認できる。またカウンタ２６の値はリセットできないので子供が勝手にカウンタ２６の値を変更する心配もない。
【００３６】
例えば、携帯電話機１０を外出する子供に持たせる場合、キッズモードに設定しておくと、万一子供が暗証番号を解読してキッズモードを解除し、自由に使用した後、再びキッズモードに設定したとしても、親はカウンタ２６の値が増加していることから子供がキッズモードを何回解除したかを知ることができる。そうすれば、暗証番号を変更したり、子供に携帯電話機１０を持たせないようにしたり、対処できる。
【００３７】
上記の２つの実施形態のステップＳ１４、Ｓ１５、Ｓ３４で表示されるものは、キッズモードが設定されていることとキッズモードが一旦解除されたことを視認できればその表示画像に特に限定はなく、画面の背景色やデザイン等を変更してもよい。またカウンタ２６の値はカウンタ表示用の画面で別途確認できるようにしてもよい。
【００３８】
このように、本発明は移動通信装置にキッズモードの設定又は解除を計数するカウンタ２６を設けることにより、持ち主はカウンタ２６の値やカウンタ２６の値に基づいて変化する表示を参照して、無断でキッズモードが解除されたことをチェックすることができる。
【産業上の利用可能性】
【００３９】
本発明の移動通信装置は、携帯電話をはじめ、ＰＨＳ、自動車電話、ＰＤＡ（Personal Digital Assistant）等の携帯端末に利用することができる。
【図面の簡単な説明】
【００４０】
【図１】本発明の携帯電話機の構成を示すブロック図である。
【図２】本発明のキッズモードに関する携帯電話機の動作を示すフローチャートである。
【図３】本発明の携帯電話機がキッズモードに設定されカウンタが０のときの画面を示す図である。
【図４】本発明の携帯電話機がキッズモードに設定されカウンタが０でないときの画面を示す図である。
【図５】本発明の他のキッズモードに関する携帯電話機の動作を示すフローチャートである。
【符号の説明】
【００４１】
１０    携帯電話機（移動通信装置）
１１    通信部
１２    アンテナ
１３    ベースバンド部
１３ａ    音声コーデック
１３ｂ    ＣＤＭＡ処理回路
１４、１８    スピーカ
１５、１７、１９    アンプ
２０    切替回路
２１    制御回路
２２    第１記憶部
２３    第２記憶部
２４    表示部
２５    操作部
２６    カウンタ
【図１】
2005277930.tif 000003
【図２】
2005277930.tif 000004
【図３】
2005277930.tif 000005
【図４】
2005277930.tif 000006
【図５】
2005277930.tif 000007